(57)【要約】【課題】空気中の塵埃，花粉或いは有毒物質等が人体の気管内に吸入されることを予防するためのマスクを提供する。【解決手段】マスク本体１００と、該マスク本体１００の両側に配設する締め紐２０と、締め紐２０の自由端に係合する止め具３０とを備えるマスク１０，１０’であって、止め具３０はプラスチック製のプレートからなり、該プレートの両端に夫々コ字形の切溝３２が形成されると共に、該切溝３２の内部に弾性プレート３１が設けられ、締め紐２０の自由端が弾性プレート３１の切溝３２を貫通することにより、締め紐２０と止め具３０とを係合するようにした構成とした。【選択図】    図１
2005000218.tif 000002
【特許請求の範囲】
【請求項１】
マスク本体１００と、該マスク本体１００の両側に配設した締め紐２０と、締め紐２０の自由端に係合する止め具３０とを備えるマスク１０，１０’であって、前記止め具３０はプラスチック製のプレートからなり、該プレートの両端に夫々コ字形の切溝３２が形成されると共に、該切溝３２の内部に弾性プレート３１が設けられ、締め紐２０の自由端が弾性プレート３１の切溝３２を貫通することにより、締め紐２０と止め具３０とを係合するようにしたことを特徴とするマスク。
【請求項２】
マスク本体１００の両側に引掛け部１０１を延出すると共に、該引掛け部１０１の自由端を折曲して、その端部を前記マスク本体１００に取着することにより、貫通部１１が形成され、更に、弾性プレート３１の自由端に歯部３１０が設けられるようにしたことを特徴とする請求項１に記載のマスク。
【請求項３】
マスク１０’の両側端部に上下方向に貫通孔を有する貫通部１２が形成され、更に、弾性プレート３１の自由端に歯部３１０が設けられることを特徴とする請求項２に記載のマスク。
【発明の詳細な説明】
【０００１】
【発明の属する技術分野】
本発明は、特に空気中の塵埃等を濾過するため顔面に使用するマスクに関するものである。
【０００２】
【従来の技術】
空気中の塵埃，花粉，或いは有毒物質等を人体の気管に吸入することを予防するために、マスクがよく使用されている。マスクは材質によって異なる効果をもっている。例えば、寒気の吸入を防止する防寒マスクであり、又、マスクの内部に活性炭、濾過コットンなどの中間層を設置すると、空気中の臭いを吸着する又は雑菌を濾過する効果をもっている。
従って、場所によって異なるマスクが使用される。
【０００３】
図６に示すように、従来のマスクは、マスク本体４０の両側にそれぞれ上部引掛部４１と下部引掛部４２が設けられると共に、上部引掛部４１と下部引掛部４２に夫々締め紐５０，５１が取付けられることにより、人の顔にかけられる。
しかし、この従来のマスクの締め紐は弾性力を持っているが、締め紐の張り具合を調節できないので、異なる頭のサイズの使用者に使用すると、マスクと顔の密接効果が異なってしまう不具合がある。
【０００４】
図７に示すように、締め紐の調節を可能にして上記欠点を改良したマスクが製造業者によって開発された。この調節可能のマスクはマスク本体６０の両側に夫々上部止め具６１と下部止め具６２が設けられ、左右の上部止め具６１間に一本の上部締め紐７０が設けられると共に、左右の下部止め具６２間に一本の下部締め紐７１が設けられている。この調節可能のマスクを使用する際、マスク本体６０を口鼻を覆うように位置させて、上部締め紐７０と下部締め紐７１が頭部に設置され、更に、上部締め紐７０と下部締め紐７１とを夫々引くことにより、上部締め紐７０と下部締め紐７１の緊張度を調節することができる。
【０００５】
【本発明が解決しようとする課題】
しかしながら、前述の調節可能のマスクは以下に示す問題点が存在する。
ａ）  製造コストが高価となる：マスク本体６０の両側に四つの止め具を設置する必要があり、同側における上部、下部止め具６１，６２が一体に形成されるが、射出成形後の熱接着コストが掛かる。
ｂ）  調節が不便である：上部締め紐７０と下部締め紐７１の張り具合を調節する際、夫々別々に行う必要があり、使用時における使い勝手が悪い不具合がある。
本発明は、上記不具合を解消するためになされたもので、低コストで形成され且つ調節操作の容易なマスクを提供することを目的としている。
【０００６】
【課題を解決するための手段】
本願の請求項１の発明は、マスク本体１００と、該マスク本体１００の両側に配設される締め紐２０と、締め紐２０の自由端に設置する止め具３０とを備えるマスク１０，１０’であって、止め具３０はプラスチック製のプレートからなり、該プレートの両端に夫々コ字形の切溝３２が形成されると共に、該切溝３２の内部に弾性プレート３１が設けられ、締め紐２０の自由端が弾性プレート３１の切溝３２を貫通することにより、締め紐２０と止め具３０とを係合するようにしたことを特徴とする。
本願の請求項２の発明は、請求項１に記載のマスクにおいて、マスク本体１００の両側に引掛け部１０１が延出すると共に、該引掛け部１０１の自由端を折曲して、その端部をマスク本体１００に取着することにより、貫通部１１が形成され、更に、弾性プレート３１の自由端に歯部３１０が設けられることを特徴とする。
本願の請求項３の発明は、請求項２に記載のマスクにおいて、マスク１０’の両側端部に上下方向に貫通孔を有する貫通部１２が形成され、更に、弾性プレート３１の自由端に歯部３１０が設けられるようにしたことを特徴とする。
【０００７】
【作用】
本発明は、マスク本体と、該マスク本体の両側に設置する締め紐と、締め紐の自由端に設置する止め具とを備え、締め紐の張り具合を調節する際、その締め紐の自由端を引いて調節することができる。
【０００８】
【発明の実施の形態】
以下、添付図面を参照して本発明の好適な実施の形態を詳細に説明する。
図１は本発明に係わるマスクの第一実施例を示す斜視図であり、図２は本発明に係わるマスクの第一実施例の締め紐及び止め具を示す一部断面図であり、図３は本発明に係わるマスクの第一実施例の使用状態を示す説明図であり、図４は本発明に係わるマスクの止め具及び締め紐の調節状態を示す説明図である。
図５は本発明に係わるマスクの第二実施例を示す斜視図である。
【０００９】
図１に示すように本発明に係わるマスク１０は、マスク本体１００と、該マスク本体１００の両側に配設される締め紐２０と、締め紐２０の自由端と係合する止め具３０とを備え、締め紐２０の張り具合（締付力）を調節する際、その締め紐２０の各自由端を引いて調節することができるので、非常に便利である。
又、上記マスク１０のマスク本体１００は口鼻をカバーする茶碗状又はプレート状構造であり、締め紐２０を配設するためその両側に夫々貫通部１１が形成され、本実施例の貫通部１１はマスク本体１００の両側に引掛け部１０１が延出すると共に、該引掛け部１０１の自由端を折曲して、端部をマスク本体１００と接着することにより形成される。
上記締め紐２０は弾性力を有する紐状体であり、その両端が夫々マスク本体１００の両側における貫通部１１を貫通すると共に、一つの止め具３０に係合することにより、二つの環状体構造になる。
【００１０】
更に、図１及び図２に示すように、上記止め具３０はプラスチックからなるプレートであり、該プレートの両端に夫々コ字形の切溝３２が形成されると共に、該切溝３２の内部に弾性プレート３１が設けられ、更に、該弾性プレート３１の自由端に歯部３１０が設けられ、上記締め紐２０の自由端が弾性プレート３１の切溝３２を貫通すると共に、歯部３１０によって締め紐２０を係止することにより、締め紐２０の弛むことを防止し、又、締め紐２０の自由端を引くと、締め紐２０の張り具合の調節が行われる。
【００１１】
図３に示すように、使用者はマスクを掛けて、締め紐２０の張り具合を調節する際、その締め紐２０の自由端を引くことにより、締め紐２０の二つの環状体構造を同時に緊縮することが達成できるので、非常に便利である。
【００１２】
又、図４に示すように、締め紐２０を弛める時には、止め具３０の両端を押圧することによって止め具３０を湾曲することにより、弾性プレート３１と締め紐２０との係合状態を解除して、締め紐２０を弛めることが達成できる。
【００１３】
更に、図５に示すように、本発明の第二実施例はマスク１０’の両側端部に上下方向に貫通孔を有する貫通部１２が形成され、締め紐２０の両端がその貫通部１２を貫通すると共に、止め具３０に係合されることにより、締め紐２０は二つの環状体構造になる
【００１４】
【発明の効果】
本発明は上記の構造を有するので、以下に示す効果を達成できる。
ａ）部材が少ない：  本発明は単に、一つの止め具と、一本の締め紐と、一つのマスク本体によって調節可能のマスクを製造することができるので、従来のマスクより使用部材が少なくて済み、構成が極めて簡単となる。
ｂ）低コスト：  本発明に係わるマスクは、使用部材が少ないと共に、組合せも簡単であるので、製造コストを安価にすることができる。
ｃ）調節便利：  本発明に係わるマスクの締め紐を調節する際、単に締め紐も両端を引くことにより、締め紐の二つの環状体構造を同時に緊縮することを達成できるので、非常に便利である。
【図面の簡単な説明】
【図１】本発明に係わるマスクの第一実施例を示す斜視図である。
【図２】本発明に係わるマスクの第一実施例の締め紐及び止め具を示す一部断面図である。
【図３】本発明に係わるマスクの第一実施例の使用状態を示す説明図である。
【図４】本発明に係わるマスクの止め具及び締め紐の調節状態を示す説明図である。
【図５】本発明に係わるマスクの第二実施例を示す斜視図である。
【図６】従来の調節不能のマスクを示す斜視図である。
【図７】従来の調節可能のマスクを示す斜視図である。
【符号の説明】
１０        マスク
１０’            マスク
１００      マスク本体
１０１      引掛け部
１１        貫通部
１２        貫通部
２０        締め紐
３０        止め具
３１        弾性プレート
３１０      歯部
３２        切溝
【図１】
2005000218.tif 000003
【図２】
2005000218.tif 000004
【図３】
2005000218.tif 000005
【図４】
2005000218.tif 000006
【図５】
2005000218.tif 000007
【図６】
2005000218.tif 000008
【図７】
2005000218.tif 000009